(57)【特許請求の範囲】
【請求項１】
印刷物（３）からなる鱗状列流（２）を心合せする装置であり、鱗状列流（２）を水平に移動させる少なくとも１つの搬送機構（５）を有する被駆動推進装置（４）と、この推進装置（４）の一部分に配置されたフレーム（６）とを備え、このフレーム上に鱗状列流（２）を横方向に調節する被駆動要素（７）を備えており、この要素は搬送方向（１８）に見て側方左に配置された第一の整列ユニット（８）と搬送方向（１８）に見て側方右に配置された第二の整列ユニット（９）とを備えており、鱗状列流（２）を下方から緩和する要素（１５）を設け、前記要素（１５）は搬送機構（５）上に設けられ、前記両方の整列ユニット（８，９）が搬送方向（１８）に見て手前に錐形状の流入領域（Ｅ）を形成し、続いて安定化領域（Ｂ）を形成することを特徴とする装置。
【請求項２】
鱗状列流（２）を緩和するための要素（１５）はこの鱗状列流（２）の個別製造物（３）を下から押圧する隆起部（１６）であることを特徴とする請求項１記載の装置。
【請求項３】
隆起部（１６）はいずれも搬送ローラ（１４）として形成されている搬送機構（５）上に設けられこれと連動して回転することを特徴とする請求項２記載の装置。
【請求項４】
搬送ローラ（１４）のうちの少なくともいくつかが同搬送ローラ（１４）の周囲に沿って配置された複数の隆起部（１６）を備えることを特徴とする請求項２または３記載の装置。
【請求項５】
隆起部（１６）は放射状に突出するように形成されることを特徴とする請求項２ないし４のいずれかに記載の装置。
【請求項６】
流入領域（Ｅ）は被駆動の垂直ローラ（１１）を備えており、この上に少なくとも１つの周回ベルト（１２）が掛けられていることを特徴とする請求項１記載の装置。
【請求項７】
周回ベルト（１２）はいずれも垂直ローラ（１１）の下部領域に配置されていることを特徴とする請求項６記載の装置。
【請求項８】
安定化領域（Ｂ）内には開放された搬送空間を形成し露出している垂直ローラ（１０）を備えており、鱗状列流（２）はこの安定化領域（Ｂ）において直接垂直ローラ（１０）上を誘導されることを特徴とする請求項１，６または７のいずれかに記載の装置。
【発明の詳細な説明】
【技術分野】
【０００１】
この発明は、印刷物からなる鱗状列流を心合せする装置に係り、鱗状列流を水平に移動させる少なくとも１つの搬送機構を有する被駆動推進装置と、この推進装置の一部分に配置されたフレームとを備えこのフレーム上に鱗状列流を横方向に調節する被駆動要素を備えており、この要素は搬送方向に見て左側方に配置された第一の調節ユニットと搬送方向に見て右側方に配置された第二の調節ユニットとを備えている。
【背景技術】
【０００２】
この種の装置は、特に印刷製品の後処理の分野で使用される。これは、例えば、回転カッタ、ロッド状カンチレバー、交互積みスタッカー等に印刷製品を搬入するよう機能する。鱗状列流の個々の製品は印刷されていないものおよびそれぞれ折り込まれたものかあるいは折り込まれていない紙とすることができる。
【０００３】
この種の装置は米国特許第４０１５８４３号明細書によって知られている。これは新聞製品からなる鱗状列流の心合せを行うよう機能する。フレームの側部にローラの周りに掛けられた複数の周回ベルトが設けられている。これらのベルトは漏斗形状の流入領域を形成し、この中において整列されていない鱗状列流の印刷物が収容され心合せされる。この装置は高速運転に適していない。
【０００４】
ドイツ国特許出願公開第３１１３３９９号明細書により、少なくとも部分的に搬送方向に横断して移動可能に配設されるとともに調節装置を使用して隣接する外側の搬送機構と共に調節可能である搬送ベルトによって水平誘導が行われる装置が知られている。垂直誘導は同様に漏斗形状に構成することができる側方の止め縁部によって実施される。
【０００５】
ドイツ国特許出願公開第３２２１６０１号明細書により、鱗状列流の搬送中にこの鱗状列流の搬送方向に向かって収束する可動ベルトによって荷重を加えることによって鱗状列流を心合せする装置が知られている。これにおいても水平移動は周回ベルトによって実施される。
【０００６】
欧州特許出願公開第０２２３９４１号明細書により、側方のベルトによって鱗状列流が心合せされる装置が知られている。これらのベルトは鱗状列流の幅に合わせて相互の距離を調節することができる。
【０００７】
【特許文献１】米国特許第４０１５８４３号明細書
【特許文献２】ドイツ国特許出願公開第３１１３３９９号明細書
【特許文献３】ドイツ国特許出願公開第３２２１６０１号明細書
【特許文献４】欧州特許出願公開第０２２３９４１号明細書
【発明の開示】
【発明が解決しようとする課題】
【０００８】
従って、本発明の目的は、低コストに製造可能であるとともに比較的高い運転速度においても鱗状列流の心合せが可能な前述の装置を提供することである。この心合せは製品のずれが比較的大きい場合においても確実に達成可能であることが好適である。
【課題を解決するための手段】
【０００９】
前記の課題は、鱗状列流を下方から緩和する要素を設けることによって解決される。この緩和によって心合せが極めて効果的に促進され、例えば１ｍ／ｓあるいはそれより高い周回速度からなる高速運転においても効果的に促進される。この緩和は特に鱗状列流を揺動することによって実施される。従って鱗状列流は下方から揺動されその結果緩和される。このことは構造的に極めて簡便かつ頑丈な部材によって達成することができる。
【００１０】
本発明の追加構成例によれば、緩和は搬送機構の隆起部によって実施される。特にこの隆起部は搬送方向に対して横断方向に延在している搬送ローラ上に配置される。緩和は流入領域あるいは流入領域の手前において既に実施される。
【００１１】
本発明の追加構成によって両方の調節装置が搬送方向に見て先に流入領域を形成し続いて安定化領域を形成すれば、高い運転速度における極めて効果的な心合せが達成される。本発明の追加構成によれば、この流入領域は被駆動の垂直ローラを備えており、これによって少なくとも１つの周回ベルトが誘導される。この流入領域は漏斗形状に構成することが好適である。
【００１２】
本発明の追加構成によれば、安定化領域は少なくとも場所によって露出している複数の垂直ローラを備えており、従ってこの安定化領域において鱗状列流が直接垂直ローラ上を誘導される。これらのローラは丸型に形成され偏心性のものでない。従って、安定化領域内においては鱗状列流に側方の揺動は付加されず、連続的に側方に整列される。実験によって、安定化領域内で側方ベルトが妨害される可能性があることと、場合によって起立していることがある個々の印刷物の角部を再び修正し得ることが証明された。この安定化領域内において個々の印刷物が垂直ローラによって誘導されると、前述のような起立している印刷物の角部を再び横にすることができる。流入領域においても側方からの揺動を実施せず、下方からの緩和のみを行うことが好適である。
【００１３】
次に、本発明の実施例につき添付図面を参照しながら以下詳細に説明する。
【実施例】
【００１４】
図１に示されている装置１は、図２に示されている鱗状列流２を矢印１８の方向に搬送し心合せするよう作用する。水平誘導するために複数の被駆動搬送ローラ１４を有する搬送機構５を備えた推進装置４が設けられている。これらの搬送ローラ１４は側方の取付けレール上に回転可能に取付けられており、全ての搬送ローラ１４が同一方向および速度でその軸１７（図４）周りに回転するように図示されていない駆動機構によって駆動される。図４に示されているように、ローラ１４はいずれも互いに離間して配置されている。従って、隣接するローラ間に間隔が形成される。図４に示されているように、ローラ１４は矢印の方向に駆動される。図１および図２には推進装置４の一部のみが示されており、これは鱗状列流２を装置１に給入およびそこから送出するよう動作する。
【００１５】
搬送機構５は推進装置４の一部分内に配設されたフレーム６上に固定されている。
【００１６】
さらにフレーム６上には２つの整列ユニット８および９が取付けられている。搬送方向に見て整列ユニット８は推進装置４の左側、整列ユニット９は右側に位置している。両方の整列ユニット８および９はそれぞれ取付け台１３を有しており、その下側には複数の垂直ローラ１０および１１が取付けられている。これらのローラ１０および１１はいずれも互いに離間して配置され、これらも駆動されている。この駆動は、搬送機構５あるいは搬送ローラ１４を駆動するものとすることができる。両方の整列ユニット８および９は対称形に形成され、鱗状列流７を心合せする要素７を構成している。
【００１７】
搬送ローラ１１は流入領域Ｅ内に配置され矢印１８の方向に見て収束している。従ってこの流入領域Ｅは漏斗形状に構成されている。両方の整列ユニット８および９は、それぞれローラ１１周りで誘導される周回ベルト１２を備えている。ベルト１２は、図示されているように、垂直ローラ１１の下方部分すなわち搬送ローラ１４の直ぐ上に配置されている。ベルト１２はローラ１１を介して駆動され、鱗状列流２と共に動作する。
【００１８】
安定化領域Ｂ内において垂直ローラは露出しており、すなわちベルトまたはガイド板が設けられていない。従って、左の整列ユニット８の垂直ローラ１０と右の整列ユニット９のローラ１０との間の空間が開放されている。加えて、この領域は漏斗形状または錐形ではなく、対向している垂直ローラ１０の間の距離は実質的に均等である。しかしながら、緩やかな錐形の軌道も考えられる。
【００１９】
図２には、装置１による鱗状列流２の心合せが概略的に示されている。図２に示されている鱗状列流２の個別製造物３ａは整列されていない。ここで、個別製造物３ａの横方向のずれは±２０ｍｍとすることができる。装置の送出部において個別製造物３ａは相当に心合せされており、すなわち前後している個別製造物３の下方角部２１および上方角部２２がそれぞれ並行して進行している。個別製造物３ａの心合せあるいは整列は、流入領域Ｅ内において被駆動の側方ベルト１２によって実施される。この心合せあるいは横方向の整列は、流入領域Ｅ内において鱗状列流２を緩和することによって著しく支援される。
【００２０】
鱗状列流２の緩和は特に流入領域Ｅ内において少なくとも搬送ローラ１４の１つの上に設けられている要素１５によって実施される。この要素１５は、図４に示されているように中央に配置されローラ１４の長軸方向に延在している隆起部１６を備えている。図１に示されているように、全ての搬送ローラ１４がこのような要素１５を備えているわけではない。従って、要素１５を備えている各ローラ１４の間に要素１５を備えていないローラ１４ａを配置することができる。これも図４に示されている。原則的に全てのローラ１４が要素１５を備えている構成も考えられる。さらに、要素１５が搬送ローラ１４上ではなく、その他の搬送を行わないローラ等の上に設けられる構成も考えられる。
【００２１】
要素１５は回転ずれしないようにローラ１４上に固定されている。この固定は、図４に示されているように、例えばバンド２４によって行うことができる。ここでは、隆起部１６がローラ１４の長軸方向に延在しているリブである。しかしながら、例えばカムまたは歯等のその他の隆起部も考えられる。図４においてそれぞれ３つの隆起部１６が１つのローラ１４上に設けられている。１つのローラの各隆起部１６の間の間隔は均等である。３つよりも少ないあるいは多い隆起部１６を設ける構成も考えられる。１つの搬送ローラ１４の各隆起部１６を多様に形成することも可能である。また、隆起部１６の外側の把持面を起伏のあるものとすることもでき、例えばリブ状あるいは粗面とすることができる。図４に示されている隆起部１６の高さＨは、心合せする鱗状列流２または個別の製造物３に応じたものとなる。高さＨは、例えば数ｍｍもしくは１−５ｍｍとすることができる。図４に示されているように、これらの隆起部１６は個別の製造物３の下面中央を押圧し、これによって鱗状列流２は揺動のために下から垂直に緩和される。この揺動あるいは緩和によって重ね合わさっている個別製造物３間の下面２０と上面２５との間の摩擦が低下する。従って、この緩和された印刷物３は小さな圧力をもって容易に搬送方向に対して横断方向に摺動することができる。そのため、特に流入領域Ｅにおいて高い運転速度に際しても確実な心合せあるいは整列が可能となる。
【００２２】
図示されているように、要素１５が搬送ローラ１４の中央に配置されているため、鱗状列流２は中央線に沿って緩和される。揺動はこの中央線から両外側に伝搬し、前述のように重合領域全体において摩擦を低下させる。要素１５は鱗状列流２の中央からずらして配置することもできる。
【図面の簡単な説明】
【００２３】
【図１】本発明に係る装置を概略的に示す立体図である。
【図２】図１の装置ならびに鱗状列流の整列を概略的に示す説明図である。
【図３】図１の装置の一部を示す部分拡大図である。
【図４】図１の装置の別の一部を示す部分拡大図である。
【符号の説明】
【００２４】
１  装置
２  鱗状列流
３  印刷物
４  推進装置
５  搬送機構
６  フレーム
７  要素
８，９  整列ユニット
１０，１１  垂直ローラ
１２  周回ベルト
１３  取付け台
１４  搬送ローラ
１５  要素
１６  隆起部
１７  軸
１８  矢印（搬送方向）
２０  下角部
２１  上角部
２３  取付けレール
２５  上面
【図１】
0004643945.tif 000002
【図２】
0004643945.tif 000003
【図３】
0004643945.tif 000004
【図４】
0004643945.tif 000005